(57)【特許請求の範囲】
【請求項１】
発光デバイスで発生させた光を放射する発光部とこの発光部を支持する本体部とを有する発光器において、
前記本体部に、電源電池と、この電源電池から発光デバイスに給電する為の通電回路と、この通電回路を開閉可能な第１スイッチと、第１外部コネクタを通電回路に電気的に接続可能なコネクタ部とを設け、
複数の前記発光器の各々の通電回路に電気的に夫々接続可能な複数の第２外部コネクタと、前記複数の発光器の各々の通電回路に並列接続される外部電気回路と、前記外部電気回路を開閉可能な第２スイッチとを備えた外部アダプタを有し、
前記発光器を単独使用するとき、前記コネクタ部と前記第１外部コネクタとを接続すると共に、前記発光器を複数使用するとき、前記コネクタ部と前記第２外部コネクタとを夫々接続することを特徴とする発光器。
【請求項２】
前記コネクタ部に第１又は第２外部コネクタを接続した状態では第１スイッチを閉成し且つコネクタ部から第１又は第２外部コネクタを分離した状態では第１スイッチにより通電回路を開閉可能にしたことを特徴とする請求項１に記載の発光器。
【請求項３】
前記コネクタ部に、第１スイッチと直列的に通電回路に接続された第３スイッチであって、前記コネクタ部に第２外部コネクタを接続した状態では通電回路を開成し且つコネクタ部から第２外部コネクタを分離した状態では通電回路を閉成する第３スイッチを設けたことを特徴とする請求項１に記載の発光器。
【請求項４】
前記第１外部コネクタは、前記通電回路を閉成する閉成回路を有することを特徴とする請求項１に記載の発光器。
【請求項５】
発光デバイスで発生させた光を放射する発光部とこの発光部を支持する本体部とを有する発光器において、
前記本体部に、発光デバイスに給電する為の通電回路と、この通電回路を開閉可能な第４スイッチと、第１外部コネクタを電気的に接続する為のコネクタ部とを設け、
複数の前記発光器の各々の通電回路に電気的に夫々接続可能な複数の第２外部コネクタと、前記複数の発光器の各々の通電回路に並列接続される外部電気回路と、前記外部電気回路に給電する電源電池と、前記外部電気回路を開閉可能な第５スイッチとを備えた外部アダプタを有し、
前記発光器を単独使用するとき、前記コネクタ部と前記第１外部コネクタとを接続すると共に、前記発光器を複数使用するとき、前記コネクタ部と前記第２外部コネクタとを夫々接続することを特徴とする発光器。
【請求項６】
前記第１外部コネクタは、電源電池を有し前記コネクタ部を介して通電回路に給電する給電回路を有することを特徴とする請求項５に記載の発光器。
【発明の詳細な説明】
【技術分野】
【０００１】
本発明は、発光デバイスで発光させた光を放射する発光器に関し、特に、外部コネクタに接続可能なコネクタ部を設けた発光器に関するものである。
【背景技術】
【０００２】
従来から、各種イベント会場やコンサート会場において、ペンライト等の携帯用の発光器を発光させることで会場の雰囲気を高める演出が行われている。特許文献１のペンライトは、ペン型形状の本体部と、本体部の先端部分に設けられた発光体と、本体部の後端部に設けられ外部コネクタを通電回路に電気的に接続可能なコネクタ部と、本体部の内部に装着された電源電池とを有する。外部コネクタとしての円筒状のキャップをペンライトのコネクタ部に嵌合させた状態で、キャップを回動操作することで通電回路が開閉されて発光体が点灯・点滅する。
【０００３】
特許文献２のマルチカラーペンライトは、無色透明の合成樹脂材料で円筒状に形成され内部に複数の発光ダイオードを有する発光部と、発光部の基端部を支持し輝度調節部を有するグリップ部とを備え、輝度調節部を手動で操作することで発光部から種々のカラー光が発光される。
【０００４】
特許文献３のペンライトは、複数の発光ダイオードを有する発光部と、発光部を支持する本体部と、本体部の内部に設けられたコントローラ部及び電池と、本体部の後端部に設けられた電源スイッチとを有する。コントローラ部は、外部の集中制御装置からの発光パターンデータを含む同期信号を赤外線光通信で受信する受信回路と、受信回路や発光ダイオードを制御する制御手段とを有する。外部の集中制御装置が、赤外線光通信により同期信号を複数のペンライトに送信することで複数のペンライトが同一の発光パターンで点灯する。
【先行技術文献】
【特許文献】
【０００５】
【特許文献１】特開２００５−２７４３１９号公報
【特許文献２】特開２００９−１７６６９７号公報
【特許文献３】特開２００５−６３２６５号公報
【発明の概要】
【発明が解決しようとする課題】
【０００６】
特許文献１のペンライトにおいては、ペンライトの本体部にスイッチが設けられておらず、ペンライトのコネクタ部に接続する外部コネクタとしてのキャップがスイッチとして機能するので、発光体の点灯・消灯を行う毎に例えば右手でペンライトを持ちつつ左手でキャップを回動操作する必要があり面倒である。
【０００７】
特許文献２、３のペンライトにおいては、コンサート会場等において、片手で複数のペンライトを持つ場合、指と指の間に１つのペンライトを挟み持つことで、片手で４つのペンライトを持つことができる。しかし、そのような状態で複数のペンライトを持つことは非常に不安定であり、長時間持つことも、また振り動かすことも大変である。しかも、複数のペンライトの電源スイッチのオン／オフの切換え操作を、ペンライト毎に行う必要があり非常に面倒である。
【０００８】
本発明の目的は、発光器を単独で使用する場合や複数の発光器を使用する場合における発光器の点灯・消灯の切換えを容易に行うことができる発光器を提供することである。
【課題を解決するための手段】
【０００９】
本願発明は以下の構成を有するものである。尚、参照符号は、本願発明の理解促進の為に図面に図示した構成要素との対応関係の一例を示したものであり、本願発明の技術的範囲を限定するものではない。
第１の発明（発光器）は、発光デバイス(2)で発光させた光を放射する発光部(3)とこの発光部(3)を支持する本体部(4,4A)とを有する発光器(1,1A,1B)において、前記本体部(4,4A)に、電源電池(10)と、この電源電池(10)から発光デバイス(2)に給電する為の通電回路(11,31)と、この通電回路(11,31)を開閉可能な第１スイッチ(9,30)と、第１外部コネクタ(13,40)を通電回路に電気的に接続可能なコネクタ部(14,40)とを設け、複数の前記発光器(1,1A,1B)の複数の通電回路(11,31)に夫々電気的に接続可能な複数の第２外部コネクタ(23)と、前記複数の発光器(1,1A,1B)の複数の通電回路(11,31)に並列接続される外部電気回路(24)と、前記外部電気回路(24)を開閉可能な第２スイッチ(25)とを備えた外部アダプタ(21,35,42)を有し、前記発光器(1,1A,1B)を単独使用するとき、前記コネクタ部(14,40)と前記第１外部コネクタとを接続すると共に、前記発光器を複数使用するとき、前記コネクタ部(14,40)と前記第２外部コネクタ(23)とを夫々接続することを特徴としている。
【００１１】
第２の発明は、第１の発明において、前記コネクタ部(14)に第１外部コネクタ(13)を接続した状態では第１スイッチ(30)を閉成し且つコネクタ部(14)から第１外部コネクタ(13)を分離した状態では第１スイッチ(30)により通電回路(31)を開閉可能にしたことを特徴としている。
【００１２】
第３の発明は、第１の発明において、前記コネクタ部(40)に、第１スイッチ(9)と直列的に通電回路(11)に接続された第３スイッチ(41)であって、前記コネクタ部(40)に第２外部コネクタ(23)を接続した状態では通電回路(11)を開成し且つコネクタ部(40)から第２外部コネクタ(23)を分離した状態では通電回路(11)を閉成する第３スイッチ(41)を設けたことを特徴としている。
【００１３】
第４の発明は、第１の発明において、前記第１外部コネクタ(13)は、前記通電回路(11,31) を閉成する閉成回路(13b)を有することを特徴としている。
【００１４】
第５の発明は、発光デバイス(2)で発生させた光を放射する発光部(3)とこの発光部(3)を支持する本体部(4)とを有する発光器(1C)において、前記本体部(4)に、発光デバイス(2)に給電する為の通電回路(46)と、この通電回路(46)を開閉可能な第４スイッチ(47)と、第１外部コネクタ(49)を電気的に接続する為のコネクタ部(14)とを設け、複数の前記発光器(1C)の複数の通電回路(46)に電気的に夫々接続可能な複数の第２外部コネクタ(23)と、前記複数の発光器(1C)の複数の通電回路(46)に並列接続される外部電気回路(57)と、前記外部電気回路(57)に給電する電源電池(58)と、前記外部電気回路(57)を開閉可能な第５スイッチ(59)とを備えた外部アダプタ(54)を有し、前記発光器(1C)を単独使用するとき、前記コネクタ部(14)と前記第１外部コネクタ(49)とを接続すると共に、前記発光器(1C)を複数使用するとき、前記コネクタ部(14)と前記第２外部コネクタ(23)とを夫々接続することを特徴としている。
【００１６】
第６の発明は、第５の発明において、前記第１外部コネクタ(49)は、電源電池(52)を有し前記コネクタ部(14)を介して通電回路(46)に給電する給電回路(53)を有することを特徴としている。
【発明の効果】
【００１７】
本願の発明によれば、コネクタ部に第１外部コネクタを接続した状態で、第１スイッチにより通電回路を開閉できるため、発光器の点灯・点滅の切換えを容易に行うことができる。しかも、複数の発光器の点灯・消灯を纏めて共通の第２スイッチで操作することができ、複数の発光器の点灯・消灯の切換えを容易に行うことができる。また、外部アダプタでもって複数の発光器を長時間安定した状態で保持して振り動かすことができる。
【図面の簡単な説明】
【００１９】
【図１】本発明の実施例１に係る発光器の正面図である。
【図２】握り部を本体部から取り外した状態を示す要部拡大正面図である。
【図３】発光器の通電回路の回路図と外部付属アダプタの内部を示す図である。
【図４】発光器のコネクタ部と外部付属アダプタの外部コネクタを示す断面図である。
【図５】外部付属アダプタの要部断面図である。
【図６】複数の発光器を外部アダプタに装着した状態を示す正面図である。
【図７】外部アダプタの外部電気回路の回路図である。
【図８】実施例２の発光器の正面図である。
【図９】発光器の通電回路の回路図と外部付属アダプタの内部を示す図である。
【図１０】複数の発光器を外部アダプタに装着した状態を示す正面図である。
【図１１】外部アダプタの外部電気回路の回路図である。
【図１２】実施例３の発光器の正面図である。
【図１３】発光器の通電回路の回路図である。
【図１４】複数の発光器を外部アダプタに装着した状態を示す正面図である。
【図１５】外部アダプタの外部電気回路の回路図である。
【図１６】実施例４の発光器の通電回路の回路図と外部コネクタの給電回路の回路図である。
【図１７】外部アダプタの外部電気回路の回路図である。
【００２０】
以下、本発明を実施するための形態について実施例に基づいて説明する。
【実施例１】
【００２１】
図１、図２に示すように、発光器１は、十手を模した形状に構成され、発光ダイオード２（発光デバイス）（図３参照）で発光させた光を放射する発光部３と、この発光部３を支持する本体部４と、本体部４に着脱可能に取り付けられる握り部５とを有し、例えば各種イベント会場やコンサート会場で雰囲気を盛り上げる為のペンライトとして使用されるように構成されている。
【００２２】
発光部３は、十手の剣身部を形成する保護カバー６と、保護カバー６内に収容された導光と光放射機能を有する光放射部材７とを有する。保護カバー６は、無色透明の合成樹脂材料で上下方向にストレート状に延びる円筒状に形成され、基端部が本体部４の先端部分に内嵌固定されている。保護カバー６の先端部は半球状に形成されている。保護カバー６の表面には光拡散性と意匠性を高める為の多数の小さな粒状部６ａが形成されている。
【００２３】
光放射部材７は、透明又は半透明の合成樹脂材料で断面矩形の板状又は角棒状に形成され、保護カバー６の軸心方向にストレート状に延びている。光放射部材７には、光拡散機能（光放射機能）を得る為に長手方向に連続的に複数の凹凸部が形成され、長手方向と直交する周方向向きに多数の凹凸部が小間隔で形成されている。
【００２４】
本体部４は、合成樹脂材料で円筒状に形成されている。本体部４の先端部分には装飾体８が外嵌固定されている。この装飾体８の外周部には遊技者が操作可能な第１スイッチ９の操作部９ａが設けられている。装飾体８には、外側へ突出する装飾片８ａ（十手の鉤部）であって、保護カバー６の基端側部分の外側へ延びる装飾片８ａが設けられている。装飾片８ａと保護カバー６との間には隙間が形成されている。
【００２５】
図３に示すように、本体部４の内部には、発光ダイオード２と、電源電池１０と、この電源電池１０から発光ダイオード２に給電する為の通電回路１１と、通電回路１１を開閉可能な第１スイッチ９と、外部付属アダプタ１２の外部コネクタ１３（第１外部コネクタ）を通電回路１１に電気的に接続可能なコネクタ部１４とが設けられている。
【００２６】
発光ダイオード２（以下、ＬＥＤ）は、単色（例えば赤色）の高輝度発光ダイオードで構成されている。ＬＥＤ２から投射された光は、光放射部材７内へ導入されて光放射部材７の表面から放射され、保護カバー６の表面から放射される。
【００２７】
電源電池１０はボタン電池で構成され、本体部４の下部の中央部分に形成された電池収納部１５に装着されている。尚、通電回路１１と、第１スイッチ９と、コネクタ部１４と、外部専用アダプタ１２については後述する。
【００２８】
図１、図２に示すように、本体部４の下端部分の外周部には、１対の係合突部１６が形成されている。１対の係合突部１６は、外部付属アダプタ１２に形成された１対のガイド溝１７に係合して、発光器１を外部付属アダプタ１２に装着する際の位置決めと、装着後の脱落を防止する為に設けられている。本体部４の外周部の左右側部には１対のガイド溝１８が形成されている。ガイド溝１８は、軸心方向へ長くストレートに延びる第１溝部１８ａと、第１溝部１８ａの先端から屈曲部を介して連なる第２溝部１８ｂと、第２溝部１８ｂの先端の拡大溝部１８ｃとを有する。
【００２９】
握り部５は、合成樹脂材料で円筒状に形成され、本体部４に着脱可能に外嵌されている。握り部５は、本体部４の上下長よりも短く設定されている。握り部５の外周面にはグリップ性を高める為の多数の細かい環状溝が形成されている。握り部５の周壁部の内面の左右両側部には、本体部の１対のガイド溝１８に係合する１対の係合突部５ａが形成されている。係合突部５ａは、握り部５の先端部に短く形成されている。
【００３０】
図２に示すように、握り部５を本体部４に取り付ける場合には、１対の係合突部５ａを１対のガイド溝１８に係合させ、握り部５を第１溝部１８ａに沿って矢印ａ方向に移動させて、溝端で係止後に握り部５を矢印ｂ方向へ回動させて係合突部５ａを第２溝部１８ｂに係合させる。握り部５を第２溝部１８ｂに沿って矢印ｃ方向に移動させ、溝端で係止後に握り部５を矢印ｄ方向へ回動させると係合突部５ａが拡大溝部１８ｃに係合状態となり、握り部５が本体部４に固定される。
【００３１】
次に、発光器１の本体部４の内部に設けられた通電回路１１とコネクタ部１４について説明する。図３に示すように、通電回路１１は、電源電池１０と、抵抗１９と、ＬＥＤ２と、第１スイッチ９とを備えている。この通電回路１１においては、電源電池１０の正極が抵抗１９の一端に接続され、抵抗１９の他端がＬＥＤ２のアノード（陽極）に接続され、ＬＥＤ２のカソード（陰極）が第１スイッチ９の一端に接続され、コネクタ部１４を介して外部付属アダプタ１２の外部コネクタ１３に接続されることにより、第１スイッチ９の他端と電源電池１０の負極が接続されて閉回路が形成されるように構成されている。
【００３２】
抵抗１９は、ＬＥＤ２に対する電流制限用の抵抗器である。第１スイッチ９は、スライド式のスイッチであり、コネクタ部１４が外部コネクタ１３に接続された状態で、前記操作部９ａを上下にオン／オフ操作することで通電回路１１を開閉可能に形成されている。
【００３３】
図３、図４に示すように、コネクタ部１４は、本体部４の下端部分の内部に設けられている。このコネクタ部１４は雄型のコネクタであり、本体部４の内部に内嵌固定された凹状の金属製のピン支持具１４ａと、このピン支持具１４ａに下向きに突設された１対のピン端子１４ｂとを有する。１対のピン端子１４ｂは、ピン支持具１４ａから本体部４の軸心方向と平行に下方にストレートに延びている。ピン端子１４ｂは、銅合金製のもので、銀、錫等のメッキが施されている。
【００３４】
次に、外部付属アダプタ１２について説明する。
外部付属アダプタ１２は、発光器１を単独で使用する場合に常時装着状態にされるものである。外部付属アダプタ１２は筒状に形成され、本体部４の下端部分が着脱可能に挿入装着される凹状の着脱凹部２０と、この着脱凹部２０の内部に設けられた外部コネクタ１３とを有する。
【００３５】
図５に示すように、着脱凹部２０の周壁部の内面には、本体部４の１対の係合突部１６が係合するＬ型の１対のガイド溝１７が形成されている。このＬ型のガイド溝１７は、着脱凹部２０の周壁部の上端から長さ方向中段部までストレートに延びる第１溝部１７ａと、第１溝部１７ａの先端から直角に屈曲して僅かに延びる第２溝部１７ｂとを有する。
【００３６】
外部コネクタ１３は雌型のコネクタであり、コネクタ部１４の１対のピン端子１４ｂが夫々着脱可能に嵌合される１対の接続片１３ａと、コネクタ部１４と接続した状態で通電回路１１を閉成する導電片からなる閉成回路１３ｂを有する。
【００３７】
発光器１の本体部４の下端部分を外部付属アダプタ１２の着脱凹部２０に装着する場合、本体部４の１対の係合突部１６を１対のガイド溝１７に係合させ、係合突部１６を第１溝部１７ａに沿って移動させて、その溝端で係止後に発光器１を回動させると係合突部１６が第２溝部１７ｂの溝端に係止されて、発光器１の本体部４の下端部分が着脱凹部２０に固定される。
【００３８】
本体部４のコネクタ部１４を外部付属アダプタ１２の外部コネクタ１３に接続する場合、係合突部１６が第１溝部１７ａの溝端に係止したときに、コネクタ部１４の１対のピン端子１４ｂが、外部コネクタ１３の１対の接続片１３ａに夫々挿入され、発光器１を回動させると、１対のピン端子１４ｂが、夫々、１対の接続片１３ａの円弧穴に沿って移動してその端部で係合状態となり、本体部４のコネクタ部１４と外部付属アダプタ１２の外部コネクタ１３とが電気的に接続される。
【００３９】
次に、複数の発光器１を着脱可能な外部アダプタ２１について説明する。
図６、図７に示すように、外部アダプタ２１は、複数の発光器１を使用する場合に常時装着状態にされるものである。外部アダプタ２１は、アダプタ本体部２２と、複数の外部コネクタ２３（第２外部コネクタ）と、複数の発光器１の複数の通電回路１１に並列接続される外部電気回路２４と、この外部電気回路２４を開閉可能な第２スイッチ２５と主電源スイッチ２６とを備えている。
【００４０】
アダプタ本体部２２は、合成樹脂材料で正面視横長矩形の枠形状に形成されている。アダプタ本体部２２の中央部分には、遊技者が片手でアダプタ本体部２２の握り部２２ａを握る為の前後方向に貫通状の開口部２７が形成されている。開口部２７は、正面視横長矩形状に開口して遊技者が片手を挿入できる大きさに設定されている。握り部２２ａには、遊技者が操作可能な第２スイッチ２５の操作部２５ａが設けられている。第２スイッチ２５ａの操作部は、例えば遊技者が右手で握り部２２ａを握ったときに、親指で操作できる位置に設けられている。
【００４１】
アダプタ本体部２２の右側側部の中段部には、遊技者が操作可能な主電源スイッチ２６の操作部２６ａが設けられている。アダプタ本体部２２の上端部分には、発光器１の本体部４の下端部分を着脱可能な複数（例えば５つ）の着脱部２８が長手方向に所定間隔おきに設けられている。着脱部２８には、平面視円形の凹部２８ａが形成されている。凹部２８は、本体部４の下端部分を挿入装着可能に形成されている。凹部２８ａの周壁部の内面には、発光器１の本体部４の１対の係合突部１６を係合可能な前記ガイド溝１７と同様の１対のガイド溝（図示略）が形成されている。
【００４２】
アダプタ本体部２２の内部には、外部電気回路２４が設けられている。外部電気回路２４は、５つの外部コネクタ２３と、第２スイッチ２５と、主電源スイッチ２６とを備えている。この外部電気回路２４には、５つの外部コネクタ２３が並列接続され、外部電気回路２４の共通線２４ａに第２スイッチ２５と主電源スイッチ２６が介装されている。
【００４３】
第２スイッチ２５は、常開型のプッシュスイッチであり、操作部２５ａが押下されると閉成する。主電源スイッチ２６は、スライド式のスイッチであり、操作部２６ａを上下にオン／オフ操作することで開閉可能に形成されている。
【００４４】
外部コネクタ２３は雌型のコネクタであり、着脱部２８の凹部２８ａに設けられている。外部コネクタ２３は、コネクタ部１４の１対のピン端子１４ｂが夫々着脱可能に嵌合される１対の接続片２３ａを有し、１対のピン端子１４ｂが接続片２３ａに嵌合されて、複数の発光器１の複数の通電回路１１が外部電気回路２４に並列接続された状態になる。
【００４５】
以上説明した発光器１の作用効果について説明する。
発光器１を単独で使用する場合、発光器１の本体部４の下端部分を外部付属アダプタ１２の着脱凹部２０に挿入装着する。コネクタ部１４と外部コネクタ１３が電気的に接続された状態で、遊技者が第１スイッチ９の操作部９ａをオン側に操作すると第１スイッチ９により通電回路１１が閉成されて通電状態となり発光器１が点灯する。一方、コネクタ部１４と外部コネクタ１３が接続された状態で、遊技者が第１スイッチ９の操作部９ａをオフ側に操作すると第１スイッチ９により通電回路１１が開成されて非通電状態となり発光器１が消灯される。従って、コネクタ部１４と外部コネクタ１３とを接続した状態で本体部４の第１スイッチ９を操作することで発光器１の点灯・消灯の切換えを容易に行うことができる。
【００４６】
複数（例えば３つ）の発光器１を使用する場合、各発光器１の第１スイッチ９を閉成状態にして、複数の発光器１の本体部４の下端部分を、夫々、外部アダプタ２１の着脱部２８の凹部２８ａに挿入装着する。
【００４７】
コネクタ部１４と外部コネクタ２３が電気的に接続された状態で、外部アダプタ２１の主電源スイッチ２６を閉成状態にして、遊技者が片手でアダプタ本体２１の握り部２２ａを握った状態で親指で第２スイッチ２５の操作部２５ａを押下すると、第２スイッチ２５により外部電気回路２４と複数の通電回路１１とが通電状態となって複数の発光器１が同時に点灯する。従って、複数の発光器１を外部アダプタ２１に装着した状態では、複数の発光器１の点灯・消灯を纏めて共通の第２スイッチ２５で操作することができ、複数の発光器１の点灯・消灯の切換えを容易に行うことができる。また、例えば、各種イベント会場やコンサート会場において、外部アダプタ２１でもって複数の発光器１を長時間安定した状態で保持して振り動かすことができる。
【実施例２】
【００４８】
次に、実施例２の発光器１Ａについて説明するが、実施例１と同様の構成要素には同様の参照符号を付して説明を省略し、異なる構成要素についてのみ説明する。実施例２においては、発光器１Ａの本体部４Ａの上下長が、実施例１の発光器１の本体部４の上下長よりも長く設定され、通電回路３１において、スライド式の第１スイッチ９に代えてプッシュ式の第１スイッチ３０が設けられている。
【００４９】
図８、図９に示すように、本体部４Ａの下段部の中央部の外周部には、遊技者が操作可能な第１スイッチ３０の操作部３０ａが設けられている。図９に示すように、発光器１Ａの本体部４Ａの内部には通電回路３１が設けられている。通電回路３１は、電源電池１０と、抵抗１９と、ＬＥＤ２と、第１スイッチ３０とを備えている。
【００５０】
第１スイッチ３０は、常開型のプッシュスイッチであり、コネクタ部１４が外部付属アダプタ３３の外部コネクタ部１３に接続された状態で、着脱凹部３４の周壁部により操作部３０ａが本体部４側へ押圧されて閉成するように構成されている。着脱凹部３４は、本体部４Ａの下端部分を挿入装着可能に形成されている。
【００５１】
次に、複数の発光器１Ａを着脱可能な外部アダプタ３５について説明する。
図１０、図１１に示すように、外部アダプタ３５は、アダプタ本体部３６と、複数の外部コネクタ２３と、外部電気回路２４と、第２スイッチ２５と、主電源スイッチ２６とを備えている。
【００５２】
外部アダプタ３５の中央部分には、遊技者が片手でアダプタ本体部３５の握り部３６ａを握る為の前後方向に貫通状の開口部３８が形成されている。外部アダプタ３５の上端部分には、複数の着脱部３７が長手方向に所定間隔おきに設けられている。着脱部３７には、平面視円形の凹部３７ａが設けられている。この凹部３７ａは、発光器１Ａの本体部４Ａの下端部分を挿入装着可能に形成されている。
【００５３】
以上説明した発光器１Ａの作用効果について説明する。
発光器１Ａを単独で使用する場合、発光器１Ａの本体部４Ａの下端部分を外部付属アダプタ３３の着脱凹部３４に挿入装着する。コネクタ部１４と外部コネクタ部１３とが電気的に接続された状態では、第１スイッチ３０の操作部３０ａが着脱凹部３４の周壁部により本体部４ａ側へ押圧されることにより第１スイッチ３０が閉成されて通電回路３１が通電状態となり発光器１Ａが点灯される。従って、発光器１Ａを外部付属アダプタ３３に装着することで、自動的に発光器１Ａを発光させることができる。
【００５４】
複数の発光器１Ａを使用する場合、複数の発光器１Ａの本体部４Ａの下端部分を、夫々、外部アダプタ本体３６の着脱部３７の凹部３７ａに挿入装着する。このとき、各発光器１Ａの第１スイッチ３０の操作部３０ａが凹部３７ａの周壁部により本体部４Ａ側へ押圧されて第１スイッチ３０が閉成状態になる。
【００５５】
コネクタ部１４と外部コネクタ２３が電気的に接続された状態で、アダプタ本体部３６の主電源スイッチ２６を閉成状態にして、遊技者が片手でアダプタ本体部３６の握り部３６ａを握った状態で親指で第２スイッチ２５の操作部２５ａを押下すると第２スイッチ２５が閉成されて、複数の通電回路３１と外部電気回路２４とが通電状態となり複数の発光器１Ａが同時に点灯する。従って、実施例１と同様の効果を奏する。
【実施例３】
【００５６】
次に、実施例３の発光器１Ｂについて説明するが、実施例１と同様の構成要素には同様の参照符号を付して説明を省略し、異なる構成要素についてのみ説明する。実施例３においては、本体部４のコネクタ部４０に、プッシュ式の第３スイッチ４１が設けられている。
【００５７】
図１２、図１３に示すように、コネクタ部４０は、ピン支持具４０ａ内に設けられた１対のピン端子４０ｂと、これら１対のピン端子４０ｂ間に配設された第３スイッチ４１を有する。第３スイッチ４１は、操作部４１ａが発光器１Ｂの本体部４の下端部から下方へ突出した状態で設けられている。第３スイッチ４０は、常閉型のプッシュスイッチであり、操作部４１ａが本体部４側に押圧操作されると開成する。第３スイッチ４１の一端は、第１スイッチ９の一端に直列的に接続され、他端は電源電池１０の負極に接続されている。
【００５８】
次に、複数の発光器１Ｂを着脱可能な外部アダプタ４２について説明する。
図１４、図１５に示すように、外部アダプタ４２は、アダプタ本体部４３と、複数の外部コネクタ２３と、外部電気回路２４と、第２スイッチ２５と、主電源スイッチ２６とを備えている。
【００５９】
外部アダプタ４２の中央部分には、遊技者が片手でアダプタ本体部４３の握り部４３ａを握る為の前後方向に貫通状の開口部４５が形成されている。外部アダプタ４３の上端部分には、複数の着脱部４４が長手方向に所定間隔おきに設けられている。着脱部４４には、平面視円形の凹部４４ａが設けられている。この凹部４４ａは、発光器１Ｂの本体部４の下端部分を挿入装着可能に形成されている。
【００６０】
以上説明した発光器１Ｂの作用効果について説明する。
発光器１Ｂを単独で使用する場合、第１スイッチ９の操作部９ａをオン側に操作すると、コネクタ部４０の閉状態の第３スイッチ４１を介して通電回路１１が閉成されて通電状態となり発光器１Ｂが点灯される。従って、発光器１Ｂに外部付属アダプタを装着する必要がなく、発光器１Ｂを容易に点灯させることができる。
【００６１】
複数の発光器１Ｂを使用する場合、各発光器１Ｂの第１スイッチ９を閉成した状態で、複数の発光器１Ｂの本体部４Ｂの下端部分を、夫々、アダプタ本体４３の着脱部４４の凹部４４ａに挿入装着する。このとき、各発光器１Ｂの第３スイッチ４１の操作部４１ａが凹部４４ａの係合部により本体部４Ｂ側へ押圧されて第３スイッチ４１が開成状態になる。
【００６２】
コネクタ部４０と外部コネクタ２３が電気的に接続された状態で、アダプタ本体部４３の主電源スイッチ４２を閉成状態にして、遊技者が片手でアダプタ本体部４３の握り部４３ａを握った状態で親指で第２スイッチ２５の操作部２５ａを押下すると、第２スイッチ２５により複数の発光器１Ｂの複数の通電回路１１と外部電気回路２４とが通電状態となって複数の発光器１Ｂが同時に点灯する。従って、実施例１と同様の効果を奏する。
【実施例４】
【００６３】
次に、実施例４の発光器１Ｃについて説明するが、実施例１と同様の構成要素には同様に参照符号を付して説明を省略し、異なる構成要素について説明する。この実施例４においては、外部付属アダプタ４８や外部アダプタ５５に電源電池が設けられている。
【００６４】
図１６に示すように、発光器１Ｃは、ＬＥＤ２に給電する為の通電回路４６と、この通電回路４６を開閉可能な第４スイッチ４７と、外部付属アダプタ４８の外部コネクタ４９（第１外部コネクタ）を電気的に接続する為のコネクタ部１４とを有する。
【００６５】
通電回路４６は、抵抗１９と、ＬＥＤ２と、第４スイッチ４７とを備えている。この通電回路４６においては、抵抗１９の一端がＬＥＤ２のアノード（陽極）に接続され、ＬＥＤ２のカソード（陰極）がスイッチの一端に接続され、コネクタ部１４を介して外部コネクタ４９に接続されることにより、第４スイッチ４７の他端と抵抗１９の他端がコネクタ部１４が接続されて閉回路が形成されるように構成されている。
【００６６】
第４スイッチ４７は、スライド式のスイッチであり、コネクタ部１４が外部コネクタ４９に接続された状態で、操作部を上下のオン／オフ操作することで通電回路４６を開閉可能に形成されている。
【００６７】
次に、外部付属アダプタ４８について説明する。
外部付属アダプタ４８は筒状に形成され、発光器１Ｃの本体部４の下端部分が着脱可能に挿入装着される凹状の着脱凹部４８ａと、この着脱凹部４８ａの内部に設けられた外部コネクタ４９とを有する。着脱凹部４８ａの周壁部の内面には、前記ガイド溝１７と同様の１対のガイド溝（図示略）が形成されている。
【００６８】
外部コネクタ４９は雌型のコネクタであり、コネクタ部１４の１対のピン端子１４ｂが夫々着脱可能に嵌合される１対の接続片４９ａと、電源電池５０を有しコネクタ部１４を介して通電回路４６に給電する給電回路５２を有する。
【００６９】
次に、複数の発光器１Ｃを着脱可能な外部アダプタ５４について説明する。
図１７に示すように、外部アダプタ５４は、アダプタ本体部５５と、複数の外部コネクタ５６と、複数の発光器１Ｃの複数の通電回路４６に並列接続される外部電気回路５７と、この外部電気回路５７に給電する電源電池５８と、この外部電気回路５７を開閉可能な第５スイッチ５９と主電源スイッチ６０とを備えている。
【００７０】
アダプタ本体部５５には、複数の着脱部６１と、実施例１と同様の開口部（図示略）及び把持部（図示略）と、第５スイッチ５９の操作部と、主電源スイッチ６０の操作部とが設けられている。複数の着脱部６１は、アダプタ本体部５５の上端部分に長手方向に所定間隔おきに設けられている．着脱部６１には、平面視円形の凹部６１ａが設けられている。この凹部６１ａは、発光器１Ｃの本体部４の下端部分を挿入装着可能に形成されている。凹部６１ａの周壁部には、発光器１Ｃの本体部４の係合突部（図示略）が係合可能な前記ガイド溝１７と同様の１対のガイド溝（図示略）が形成されている。
【００７１】
アダプタ本体部５５の内部には、外部電気回路５７が設けられている。図１７に示すように、外部電気回路５７は、４つの外部コネクタ５６と、第５スイッチ５９と、主電源スイッチ６０と、電源電池５８とを備えている。外部電気回路５７には、５つの外部コネクタ２３が並設接続され、外部電気回路５７の共通線５７ａに第５スイッチ５９と主電源スイッチ６０と電源電池５８が介装されている。
【００７２】
第５スイッチ５９は、常開型のプッシュスイッチであり、操作部５９ａが押下されると閉成する。主電源スイッチ６０は、スライド式のスイッチであり、操作部を上下にオン／オフ操作することで開閉可能に形成されている。電源電池５８は、３個のボタン電池で構成されている。
【００７３】
外部コネクタ２３は雌型のコネクタであり、着脱部６１の凹部６１ａに設けられている。コネクタ部１４の１対のピン端子１４ｂが接続片２３ａに嵌合されて、複数の発光器１Ｃの通電回路４６が外部電気回路５７に並列接続された状態になる。
【００７４】
以上説明した発光器１Ｃの作用効果について説明する。
発光器１Ｃを単独で使用する場合、発光器１Ｃの本体部４の下端部分を外部付属アダプタ４８の着脱凹部４８ａに挿入装着する。コネクタ部１４と外部コネクタ４９とを電気的に接続した状態で、遊技者が第４スイッチ４７の操作部をオン側に操作すると第４スイッチ４７により通電回路が閉成され、外部コネクタ４９の給電回路５３から通電回路４６に給電されて発光器１Ｃが点灯する。一方、コネクタ部１４と外部コネクタ４９とが接続された状態で、遊技者が第４スイッチ４７の操作部をオフ側に操作すると第４スイッチにより通電回路４６が開成されて非通電状態となり発光器１Ｃが消灯される。従って、本体部４の第４スイッチ４７を操作することで発光器１Ｃの点灯・消灯の切換えを容易に行うことができる。
【００７５】
複数の発光器１Ｃを使用する場合、各発光器１Ｃの第４スイッチ４７を閉成状態にして、複数の発光器１Ｃの本体部４の下端部分を、夫々、外部アダプタ５４の着脱部６１の凹部６１ａに挿入装着する。
【００７６】
コネクタ部１４と外部コネクタ２３が電気的に接続された状態で、アダプタ本体部５５の主電源スイッチ５８を閉成状態にして、遊技者が片手で外部アダプタ５５の把持部を握った状態で親指で第５スイッチ５９の操作部５９ａを押下すると、第５スイッチ５９が閉成されて外部電気回路５７と複数の通電回路４６とが通電状態となって複数の発光器１Ｃが点灯する。従って、複数の発光器１Ｃを外部アダプタ５４に装着した状態では、複数の発光器１Ｃの点灯・消灯を纏めて共通の第５スイッチ５９で操作することができ、複数の発光器１Ｃの点灯・消灯の切換えを容易に行うことができる。また、例えば、各種イベント会場やコンサート会場において、外部アダプタ５４でもって複数の発光器１Ｃを長時間安定した状態で保持して振り動かすことができる。
【００７７】
前記実施例を次のように部分的に変更してもよい。
（１）発光デバイスは、有機化合物からなる発光ダイオード（有機エレクトロルミネッセンス）、豆電球、特殊小型電球、複数色のカラー光を発光可能なフルカラーＬＥＤ等で構成してもよい。発光デバイスをフルカラーＬＥＤで構成した場合には、フルカラーＬＥＤを制御する制御手段を本体部に設ける。
【００７８】
（２）本体部の雄型のコネクタ部と、外部アダプタの雌型の外部コネクタは実施例のものに限定されるものではない。例えば、１対の細長の平板状の端子を設けた雄型のコネクタ部を使用してもよい。
（３）外部アダプタの着脱部の数は、前記実施例に限定されるものではない。
【００７９】
（４）発光器は、ペンライトの他に、外部コネクタに接続可能なコネクタ部を有する発光玩具や発光装飾体等でもよい。
（５）その他、当業者であれば、本発明の趣旨を逸脱することなく、前記実施例に種々の変更を付加した形態が実施可能であり、本発明はそのような変更形態を包含するものである。
【符号の説明】
【００８０】
１、１Ａ、１Ｂ、１Ｃ  発光器
２          ＬＥＤ
３          発光部
４、４Ａ    本体部
９、３０    第１スイッチ
１０、５２、５８  電源電池
１１、３１、４６  通電回路
１３、２３  外部コネクタ
１３ｂ      閉成回路
１４、４０  コネクタ部
２１、３５、４２、５４  外部アダプタ
２４、５７  外部電気回路
２５        第２スイッチ
４１        第３スイッチ
４７        第４スイッチ
５３        給電回路
５９        第５スイッチ
【図１】
0005779429.tif 000002
【図２】
0005779429.tif 000003
【図３】
0005779429.tif 000004
【図４】
0005779429.tif 000005
【図５】
0005779429.tif 000006
【図６】
0005779429.tif 000007
【図７】
0005779429.tif 000008
【図８】
0005779429.tif 000009
【図９】
0005779429.tif 000010
【図１０】
0005779429.tif 000011
【図１１】
0005779429.tif 000012
【図１２】
0005779429.tif 000013
【図１３】
0005779429.tif 000014
【図１４】
0005779429.tif 000015
【図１５】
0005779429.tif 000016
【図１６】
0005779429.tif 000017
【図１７】
0005779429.tif 000018